(57)【要約】【課題】  回転調整手段を構成するホルダ部は複数の構造からなるため、回転調整手段が複雑化・大型化する傾向がある。回転調整手段が複雑化・大型化すると複数の回転調整手段が互いに干渉するという課題がある。【解決手段】  光源と、前記光源から出射された光を変調する光変調部と、前記光源と前記光変調部との間に配置された偏光素子と、前記偏光素子を保持するホルダ部と、を有する投射型表示装置であって、前記ホルダ部は、前記投射型表示装置の外部より駆動力を受ける受動部を有し、前記ホルダ部は、前記偏光素子と共に前記駆動力によって、前記偏光素子に対して垂直な軸を中心軸として回転可能であり、前記受動部は、前記ホルダ部の光源側の面又は光変調部側の面に形成されていることを特徴とする投射型表示装置とする。【選択図】  図１
2013015581.tif 000002
【特許請求の範囲】
【請求項１】
光源と、
前記光源から出射された光を変調する光変調部と、
前記光源と前記光変調部との間に配置された偏光素子と、
前記偏光素子を保持するホルダ部と、を有する投射型表示装置であって、
前記ホルダ部は、前記投射型表示装置の外部より駆動力を受ける受動部を有し、
前記ホルダ部は、前記偏光素子と共に前記駆動力によって、前記偏光素子に対して垂直な軸を中心軸として回転可能であり、
前記受動部は、前記ホルダ部の光源側の面又は光変調部側の面に形成されていることを特徴とする投射型表示装置。
【請求項２】
前記ホルダ部は、前記中心軸を中心とした、前記偏光素子に平行な面上の円弧に沿って摺動されることを特徴とする請求項１に記載の投射型表示装置。
【請求項３】
前記受動部に歯車が形成されていることを特徴とする請求項１又は２に記載の投射型表示装置。
【請求項４】
前記受動部にテーパ部が形成されていることを特徴とする請求項１又は２に記載の投射型表示装置。
【発明の詳細な説明】
【技術分野】
【０００１】
本発明は投射型表示装置に関し、特に、偏光素子の回転調整手段に関するものである。
【背景技術】
【０００２】
従来、投射型表示装置（以下、「液晶プロジェクタ」ともいう）においては、光変調部（以下、「液晶パネル」ともいう）へ入射する偏光の偏波面の角度を調整し、投射画像のコントラストを向上させる工夫がなされてきた。投射画像のコントラストを向上させることにより、投射画像の階調性をよくすることができ、投射画像の画質を改善させることができる。一般的には、液晶プロジェクタの光学系において、光源から出射される光の光軸周りに、偏光素子（偏光板、波長板）を保持するホルダ部を回転させる回転調整手段を有している。このような回転調整手段で、液晶パネル（光変調部）の偏光軸に対して偏光素子の偏光軸方向を回転させることにより、投射画像のコントラストが最大（ピーク値）になるように調整する。
【先行技術文献】
【特許文献】
【０００３】
【特許文献１】特開２００６−１２６４５８号公報
【発明の概要】
【発明が解決しようとする課題】
【０００４】
特許文献１には、液晶プロジェクタにおける偏光板の偏光軸方向の回転調整手段が示されている。特許文献１に記載はないが、一般的に、回転調整手段を構成するホルダ部は、偏光素子を保持するための保持構造やホルダ部を他の部材に固定するための固定構造、偏光素子を冷却するための冷却構造等の複数の構造からなるため、回転調整手段が複雑化・大型化する傾向がある。
【０００５】
光源から出射された光をダイクロイック膜によって光の三原色である赤色光、緑色光、青色光に色分離し、それぞれの色光に対して液晶パネル（光変調部）を配置する、いわゆる３パネル方式においては、それぞれの液晶パネル（光変調部）に対応する偏光素子に対して回転調整手段が必要となるが、回転調整手段が複雑化・大型化すると複数の回転調整手段が互いに干渉するという課題がある。
【課題を解決するための手段】
【０００６】
そこで本発明は、上記課題を解決するために、光源と、前記光源から出射された光を変調する光変調部と、前記光源と前記光変調部との間に配置された偏光素子と、前記偏光素子を保持するホルダ部と、を有する投射型表示装置であって、前記ホルダ部は、前記投射型表示装置の外部より駆動力を受ける受動部を有し、前記ホルダ部は、前記偏光素子と共に前記駆動力によって、前記偏光素子に対して垂直な軸を中心軸として回転可能であり、前記受動部は、前記ホルダ部の光源側の面又は光変調部側の面に形成されていることを特徴とする。
【発明の効果】
【０００７】
本発明の構成とすることで、従来よりも回転調整手段の簡素化・省スペース化が図れ、複数の回転調整手段が互いに干渉することを防止できる。
【図面の簡単な説明】
【０００８】
【図１】本発明の実施例１における投射型表示装置の色分離合成光学系の（ａ）斜視図及び（ｂ）当該斜視図の拡大図。
【図２】本発明の投射型表示装置の光学系の（ａ）平面図及び（ｂ）右側面図。
【図３】本発明の実施例１における回転調整手段等の（ａ）平面図、（ｂ）正面図及び（ｃ）Ｃ−Ｃ断面図。
【図４】本発明の実施例１における回転調整手段等の（ａ）平面図及び（ｂ）右側面図。
【図５】本発明の実施例１における回転調整手段等の（ａ）平面図及び（ｂ）右側面図。
【図６】本発明の実施例２における回転調整手段等の（ａ）平面図、（ｂ）正面図及び（ｃ）Ｄ−Ｄ断面図。
【図７】本発明の実施例２における回転調整手段等の（ａ）平面図及び（ｂ）右側面図。
【発明を実施するための形態】
【０００９】
以下に、本発明の実施の形態を添付の図面に基づいて詳細に説明する。
【実施例１】
【００１０】
まずは、本発明が適用される投射型表示装置の光学系の一例について説明する。
【００１１】
図２は、本発明が適用される投射型表示装置の光学系の一例を示している。図２において、光学系の（ａ）平面図及び（ｂ）右側面図を示している。投射型表示装置の光学系は、ここでは、ランプ（以下、「光源」ともいう）１を含む照明光学系α、色分離合成光学系β、投射レンズ鏡筒５により構成される、光変調部としての反射型液晶表示素子（以下、「反射型液晶パネル」ともいう）を搭載した投射型表示装置を、本発明が適用される投射型表示装置の一例として説明する。
【００１２】
図２において、４１は連続スペクトルで白色光を発光する発光管である。４２は発光管４１から出射された光を所定の方向に集光する凹面鏡を有するリフレクタである。発光管４１とリフレクタ４２によりランプ（光源）１が構成される。
【００１３】
４３ａは図２（ａ）に示す水平方向において屈折力を有するシリンドリカルレンズセルを複数配列することにより構成された第１シリンダアレイである。４３ｂは第１シリンダアレイ４３ａの個々のシリンドリカルレンズセルにそれぞれ対応したシリンドリカルレンズセルを複数配列することにより構成された第２シリンダアレイである。４４は紫外線吸収フィルタである。４５は無偏光光（非偏光光）を所定の直線偏光光に変換する偏光変換素子である。
【００１４】
４６は図２（ｂ）に示す垂直方向において屈折力を有するシリンドリカルレンズで構成されたフロントコンプレッサである。４７はランプ（光源）１から出射された光の光軸をほぼ９０度（より詳しくは８８度）折り曲げるための反射ミラーである。
【００１５】
４３ｃは図２（ｂ）に示す垂直方向において屈折力を有するシリンドリカルレンズセルを複数配列することにより構成された第３シリンダアレイである。４３ｄは第３シリンダアレイ４３ｃの個々のシリンドリカルレンズセルにそれぞれ対応したシリンドリカルレンズセルを複数配列することにより構成された第４シリンダアレイである。
【００１６】
５０は色座標を所定の値に調整するために特定波長域の色をランプ（光源）１に戻すためのカラーフィルタである。４８はコンデンサーレンズである。４９は図２（ｂ）に示す垂直方向において屈折力を有するシリンドリカルレンズで構成されたリアコンプレッサである。以上により、照明光学系αが構成される。
【００１７】
５８は青色光（以下、「Ｂ光」ともいう；例えば４３０〜４９５ｎｍの波長領域の光）と赤色光（以下、「Ｒ光」ともいう；例えば、５９０〜６５０ｎｍの波長領域の光）は反射し、緑色光（以下、「Ｇ光」ともいう；例えば、５０５〜５８０ｎｍの波長領域の光）は透過するダイクロイックミラーである。５９はＧ光用入射側偏光板であり、Ｐ偏光光のみを透過する。６０は多層膜により構成された偏光分離面を有する第１偏光ビームスプリッタであり、Ｐ偏光光を透過し、Ｓ偏光光を反射する。
【００１８】
６１Ｒ，６１Ｇ，６１Ｂはそれぞれランプ（光源）１出射された光を反射するとともに画像変調する光変調部としての赤色光用反射型液晶表示素子、緑色光用反射型液晶表示素子、青色光用反射型液晶表示素子である。６２Ｒ，６２Ｇ，６２Ｂはそれぞれ波長板としての赤色光用１／４波長板、緑色光用１／４波長板、青色光用１／４波長板である。
【００１９】
６４ａはＲ光の色純度を高めるためにオレンジ光をランプ（光源）１に戻すトリミングフィルタである。６４ｂはＲＢ光（Ｒ光とＢ光）用入射側偏光板であり、Ｐ偏光光のみを透過する。
【００２０】
６５はＲ光の偏光方向を９０度変換し、Ｂ光の偏光方向は変換しない色選択性位相差板（分光素子）である。６６は多層膜により構成された偏光分離面を有する第２偏光ビームスプリッタ（分光素子）であり、Ｐ偏光光を透過し、Ｓ偏光光を反射する。
【００２１】
６８ＢはＢ光用出射側偏光板（偏光素子）であり、Ｂ光のＳ偏光のみを透過するＢ光用出射側偏光板、６８ＧはＳ偏光のみを透過するＧ光用出射側偏光板である。６９はＲ光及びＢ光を透過し、Ｇ光を反射するダイクロイックプリズムである。
【００２２】
ここでは、ダイクロイックミラー５８、色選択性位相差板６５、第２偏光ビームスプリッタ６６により分光素子が構成されるが、本発明において用いる分光素子としてはこの構成に限定されず、光源から出射された光を複数の色光に分離する構成であれば、どのような構成を用いてもよい。
【００２３】
分光素子と赤色光用反射型液晶表示素子６１Ｒ、緑色光用反射型液晶表示素子６１Ｇ、青色光用反射型液晶表示素子６１Ｂとの間にそれぞれ波長板としての赤色光用１／４波長板６２Ｒ、緑色光用１／４波長板６２Ｇ、青色光用１／４波長板６２Ｂが配置されている。
【００２４】
以上のダイクロイックミラー５８からダイクロイックプリズム６９により、色分離合成光学系βが構成される。色分離合成光学系βは、図１に示す光学系保持部材１０６に固定されている。
【００２５】
本実施例において、偏光板４５はＰ偏光をＳ偏光に変換するが、ここでいうＰ偏光とＳ偏光は、偏光板４５における光の偏光方向を基準として述べている。一方、ダイクロイックミラー５８に入射する光は、第１及び第２偏光ビームスプリッタ６０，６６での偏光方向を基準として考え、Ｐ偏光光であるとする。すなわち、本実施例では、偏光板４５から出射された光をＳ偏光光とするが、同じＳ偏光光をダイクロイックミラー５８に入射する場合はＰ偏光光として定義する。
【００２６】
次に、本発明の特徴部分である投射型表示装置の１／４波長板（偏光素子）近傍の構成について説明する。
【００２７】
図１には、本発明の投射型表示装置の色分離合成光学系の（ａ）斜視図及び（ｂ）当該斜視図の拡大図を示す。
【００２８】
光学系保持部材１０６に固定されているプリズム（第２偏光ビームスプリッタ６６）の波長板６２（６２Ｒ，６２Ｂ）に臨む面には、偏光素子としての波長板６２（６２Ｒ，６２Ｂ）を保持するホルダ部１０５Ｒ，１０５Ｂや反射型液晶パネルユニット６３（６３Ｒ，６３Ｂ）をプリズム（第２偏光ビームスプリッタ６６）に固定するためのパネル保持板１１２が取り付けられている。反射型液晶パネルユニット６３（６３Ｒ，６３Ｂ）は、放熱するためのヒートシンクに、光変調部としての反射型液晶パネル６１（６１Ｒ，６１Ｂ）が取り付けられたものであり、反射型液晶パネルユニット６３（６３Ｒ，６３Ｂ）の４隅部には固定穴１０３が空けられている。パネル保持板１１２の先端部は固定穴１０３に挿入可能に構成されており、パネル保持板１１２の先端部を固定穴１０３に挿入後、固定穴１０３に例えば接着剤などを塗布することにより接着固定する構造となっている。
【００２９】
反射型液晶パネルユニット６３（６３Ｒ，６３Ｂ）とプリズム（第２偏光ビームスプリッタ６６）との間にはそれぞれ、コントラスト調整用の偏光素子としての１／４波長板６２（６２Ｒ，６２Ｂ）が配置されている。１／４波長板６２としては、ガラス等の透明基板にフィルム状の１／４波長フィルムが貼り付けられたものが一般的に用いられる。１／４波長板６２としては、透明基板として水晶等を用いたものを用いても良い。１／４波長板６２は、ホルダ部１０５Ｒ，１０５Ｂに例えば接着剤などを塗布することにより接着保持されている。
【００３０】
ホルダ部１０５Ｒ，１０５Ｂには断面が円弧形状の摺動部１０５ａが設けられている。摺動部１０５ａの円弧形状の中心は、１／４波長板６２（６２Ｒ，６２Ｂ）に対して垂直な投射型表示装置の光軸Ｋとなるように構成されている。
【００３１】
一方で光学系保持部材１０６にも、摺動部１０５ａに相対するように断面が円弧形状の摺動面１０７が設けられている。摺動面１０７の円弧形状の中心も、摺動部１０５ａの円弧形状の中心と同様に、投射型表示装置の光軸Ｋとなるように構成されている。
【００３２】
ホルダ部１０５Ｒ，１０５Ｂは摺動面１０７によって、光軸Ｋに垂直な面方向に位置規制されているが、光軸Ｋに平行な方向に対しては位置決め部材１０８によって位置規制されている。ホルダ部１０５Ｒ，１０５Ｂが回転しても、ホルダ部１０５Ｒ，１０５Ｂは常に位置決め部材１０８に当接するように構成されている。
【００３３】
これらの構成により、ホルダ部１０５Ｒ，１０５Ｂは、光軸Ｋを中心軸とする１／４波長板６２（６２Ｒ，６２Ｂ）に平行な面上の円弧に沿って摺動され得る状態となる。そして、それにより、ホルダ部１０５Ｒ，１０５Ｂは、１／４波長板６２（６２Ｒ，６２Ｂ）に対して垂直な軸でもある光軸Ｋを中心軸として回転可能になる。このように、ホルダ部１０５Ｒ，１０５Ｂが光軸Ｋを中心軸として回転可能になることにより、１／４波長板６２（６２Ｒ，６２Ｂ）を小型化することができる。但し、円弧形状の中心は、前述の投射型表示装置の光軸Ｋに限定されるものではなく、偏光素子の入射面或いは出射面（或いは反射型液晶表示素子の入射面）に垂直な軸であれば良い。
【００３４】
次にホルダ部１０５Ｒ，１０５Ｂには長穴１０５ｂが設けられている。一方、光学系保持部材１０６にはタップ穴１０９が設けられている。ビス１１０を長穴１０５ｂに通した後、光学系保持部材１０６に設けられたタップ穴１０９にビス１１０でビス止めすることにより、ホルダ部１０５Ｒ，１０５Ｂを光学系保持部材１０６の摺動面１０７に固定することができる。ホルダ部１０５Ｒ，１０５Ｂを摺動させホルダ部１０５Ｒ，１０５Ｂの位置を調整するときにはビス１１０を緩めた後にホルダ部１０５Ｒ，１０５Ｂを摺動させることにより調整が可能となる。
【００３５】
次に、ホルダ部１０５Ｒ，１０５Ｂの外周には、複数の歯車（受動部１０５ｄ）を有する接触部材１０５ｃが、ホルダ部１０５Ｒ，１０５Ｂの光源側の面に形成されている。一方で、光学系保持部材１０６にはホルダ部１０５Ｒ，１０５Ｂの受動部１０５ｄから光軸Ｋの方向（光軸方向）に沿って離れた位置に光軸Ｋの垂直方向に設けられた軸穴１１１を有している。この軸穴１１１には受動部１０５ｄに設けられた複数の突起とかみ合うように複数の突起（ギア）が設けられた、後述する駆動軸が挿入される。受動部１０５ｄは当該駆動軸によって、本発明の投射型表示装置の外部より駆動力を受けることになる。
【００３６】
なお、ここまでの説明では主として、赤色光用の部材（ホルダ部１０５Ｒや反射型液晶パネルユニット６３Ｒなど）や青色光用の部材（ホルダ部１０５Ｂや反射型液晶パネルユニット６３Ｂなど）について触れたが、緑色光用の部材（図１に図示しないホルダ部１０５Ｇや反射型液晶パネルユニット６３Ｇなど）についても、第２偏光ビームスプリッタ６６ではなく（図２に図示する）第１偏光ビームスプリッタ６０に固定される点を除いては、赤色光用の部材・青色光用の部材と同様のことがいえる。
【００３７】
次に、本発明の特徴部分である、投射型表示装置における偏光素子の偏光軸方向の回転調整手段（以下、単に「回転調整手段」ともいう）について説明する。
【００３８】
図３には、本発明（実施例１）における回転調整手段等の（ａ）平面図、（ｂ）正面図及び（ｃ）Ｃ−Ｃ断面図を示す。
【００３９】
１１３はホルダ部１０５に駆動力を伝達し１／４波長板６２を回転させる駆動軸である。ホルダ部１０５のギア（歯車；受動部１０５ｄ）にかみ合うように駆動軸１１３を軸穴１１１（図１に図示）に挿入し、駆動軸１１３を回転させることにより、駆動軸１１３のギア（歯車）からホルダ部１０５の受動部１０５ｄへ駆動力が伝達され、ホルダ部１０５は光軸Ｋ周りに回転する。この際、必要に応じて軸穴１１１をより受動部１０５ｄ寄りに形成するか、軸穴１１１を受動部１０５ｄ側へ延びた長穴で構成することにより、ホルダ部１０５の受動部１０５ｄと駆動軸１１３のギア（歯車）とのバックラッシュが小さくなるように受動部１０５ｄと駆動軸１１３のギア（歯車）との位置関係を容易に調整できる。
【００４０】
駆動軸１１３を回転させ投射画像のコントラストが最大（ピーク値）になるように調整した場合、いったんピーク値を通り過ぎた後に駆動軸１１３を逆方向に回転させても、バックラッシュが小さいため追従良くホルダ部１０５を調整することができる。これによりホルダ部１０５の回転量に対する投射画像のコントラストの変化量が多い場合（調整敏感度が高い場合）でも確実に投射画像のコントラストが最大（ピーク値）になるように調整することができる。
【００４１】
図４には、本発明（実施例１）における回転調整手段等の（ａ）平面図（上面図）及び（ｂ）右側面図を示す。ホルダ部１０５Ｒ，１０５Ｂを反射型液晶パネルユニット側から、（１）ホルダ部１０５Ｒ，１０５Ｂを位置規制する位置規制部材（摺動面１０７、位置決め部材１０８）、（２）ホルダ部１０５Ｒ，１０５Ｂを光学系保持部材１０６へ固定する固定部（ビス１１０、長穴１０５ｂ、タップ穴１０９）、（３）ホルダ部１０５へ駆動力を伝達する駆動力伝達部（接触部材１０５ｃ、受動部１０５ｄ、軸穴１１１）を（１）〜（３）の順に配置構成することにより、ホルダ部１０５Ｒ，１０５Ｂを含む回転調整手段の省スペース化が図れ、隣り合う別の色光用の回転調整手段（ホルダ部１０５Ｒ，１０５Ｂ）が互いに干渉することを防止できる。
【００４２】
図５には、ホルダ部１０５Ｒ，１０５Ｂを最大回転した状態の、本発明（実施例１）における回転調整手段等の（ａ）平面図及び（ｂ）右側面図を示す。
【００４３】
図５に示したように、ホルダ部１０５Ｒ，１０５Ｂが互いに近づく方向に調整することが必要な場合もあるが、ホルダ部１０５Ｒ，１０５Ｂが回転してもホルダ部１０５Ｒ，１０５Ｂが互いに干渉しないようホルダ部１０５の大きさ、長穴１０５ｂの位置を決定している。さらに軸穴１１１はバックラッシュが小さくなるように受動部１０５ｄと駆動軸のギア（歯車）との位置関係を容易に調整できるように、軸穴１１１の形状（受動部１０５ｄ側へ延びた長穴で構成する）や位置（受動部１０５ｄ寄りに形成する）を適宜変更してもよい。
【実施例２】
【００４４】
図６には、本発明（実施例２）における回転調整手段等の（ａ）平面図（上面図）、（ｂ）正面図及び（ｃ）Ｄ−Ｄ断面図を示す。
【００４５】
実施例１においては、駆動軸１１３にギア（歯車）が設けられ、ホルダ部１０５の外周の光軸側に、駆動軸１１３に設けられたギア（歯車）とかみ合うようなギア（歯車；受動部１０５ｄ）を有する接触部材１０５ｃが形成され、駆動軸１１３の回転によって、駆動軸１１３のギア（歯車）からホルダ部１０５の受動部１０５ｄに駆動力を伝達する構成としたが、図６に示すように、ホルダ部２０５の外周の光軸側に形成する接触部材は、受動部１０５ｄを有する接触部材１０５ｃではなく、斜面（テーパ部２０５ｄ）を有する接触部材２０５ｃとしてもよい。この場合には、ギア（歯車）を設ける代わりに表面の摩擦係数が高められた駆動軸２１３とホルダ部２０５のテーパ部２０５ｄを接触させた状態で駆動軸２１３を回転させることにより、駆動軸２１３からホルダ部２０５のテーパ部２０５ｄへ駆動力が伝達され、ホルダ部２０５が光軸Ｋ周りに回転する。
【００４６】
必要に応じて軸穴１１１をよりテーパ部２０５ｄ寄りに形成するか、軸穴１１１をテーパ部２０５ｄ側へ延びた長穴で構成することにより、ホルダ部２０５のテーパ部２０５ｄと駆動軸２１３のとのバックラッシュが小さくなるようにテーパ部２０５ｄと駆動軸２１３との位置関係を容易に調整できる。駆動軸２１３との接触面（テーパ部２０５ｄ）が斜面となっているため、駆動軸２１３とホルダ部２０５のテーパ部２０５ｄを接触させることにより、ホルダ部２０５に光軸Ｋへ垂直に向かう方向の力を加えることができる。これにより確実にホルダ部２０５を摺動面１０７に押し当てることができ、調整時のホルダ部２０５の浮きもなくなるのでさらに精度良く調整を実施することができる。
【００４７】
図７には、本発明（実施例２）における回転調整手段等の（ａ）平面図及び（ｂ）右側面図を示す。ホルダ部２０５（２０５Ｒ，２０５Ｂ）を反射型液晶パネルユニット側から、（１）ホルダ部２０５（２０５Ｒ，２０５Ｂ）を位置規制する位置規制部材（摺動面１０７、位置決め部材１０８）、（２）ホルダ部２０５（２０５Ｒ，２０５Ｂ）を光学系保持部材１０６へ固定する固定部（ビス１１０、長穴１０５ｂ、タップ穴１０９）、（３）ホルダ部２０５へ駆動力を伝達する駆動力伝達部（接触部材２０５ｃ、テーパ部２０５ｄ、軸穴１１１）を（１）〜（３）の順に配置構成することにより、ホルダ部２０５（２０５Ｒ，２０５Ｂ）を含む回転調整手段の省スペース化が図れ、隣り合う別の色光用の回転調整手段（ホルダ部２０５Ｒ，２０５Ｂ）が互いに干渉することを防止できる。
【００４８】
ホルダ部２０５（２０５Ｒ，２０５Ｂ）が互いに近づく方向に調整することが必要な場合もあるが、ホルダ部２０５（２０５Ｒ，２０５Ｂ）が回転してもホルダ部２０５（２０５Ｒ，２０５Ｂ）が互いに干渉しないようホルダ部２０５の大きさ、長穴１０５ｂの位置を決定している。さらに軸穴１１１はバックラッシュが小さくなるようにテーパ部２０５ｄと駆動軸２１３との位置関係を容易に調整できるように、軸穴１１１の形状（テーパ部２０５ｄ側へ延びた長穴で構成する）や位置（テーパ部２０５ｄ寄りに形成する）を適宜変更してもよい。
【００４９】
また、上記実施例においては、受動部はいずれもホルダ部の光源側の面に形成されていたが、本発明はこれに限られず、受動部をホルダ部の光変調部側の面に形成されていてもよい。
【符号の説明】
【００５０】
１  ランプ（光源）
６１，６１Ｒ，６１Ｇ，６１Ｂ  反射型液晶パネル（光変調部）
６２，６２Ｒ，６２Ｇ，６２Ｂ  １／４波長板（波長板）
１０５，２０５  ホルダ部
１０５ｄ  歯車（受動部）
２０５ｄ  テーパ部（受動部）
１１３，２１３  駆動軸
Ｋ  光軸
【図１】
2013015581.tif 000003
【図２】
2013015581.tif 000004
【図３】
2013015581.tif 000005
【図４】
2013015581.tif 000006
【図５】
2013015581.tif 000007
【図６】
2013015581.tif 000008
【図７】
2013015581.tif 000009